(57)【特許請求の範囲】
【請求項１】
複数のディスプレイが個別に接続されて接続状態が認識されると共に、複数のマイクロホンが個別に接続されて接続状態が認識されるものであり、所定楽曲を複数の歌唱者が歌唱する複数歌唱対応のカラオケ装置であって、
利用者からの選曲操作によって予約された楽曲の予約情報に含まれる歌唱パートに、当該楽曲を歌唱する複数の歌唱者の識別情報を対応付けて記憶する予約手段と、
前記歌唱者、ディスプレイ及びマイクロホンを一度に対応付ける処理であり、前記ディスプレイのそれぞれに、前記予約手段に記憶された各歌唱者のうち、所定の歌唱者から当該歌唱者にマイクロホンへの音声入力を要求するメッセージを順次表示し、表示された要求に対応する音声信号が入力されたマイクロホンを特定し、特定したマイクロホンに当該要求を表示したディスプレイ及び上記歌唱者の識別情報を対応付ける歌唱者対応付手段と、
前記予約手段により対応付けされた歌唱者の識別情報と歌唱パートとの関係、及び前記歌唱者対応付手段により対応付けられたディスプレイと歌唱者の識別情報との関係に基づいて、ディスプレイのそれぞれに歌唱パートに対応する歌詞情報を表示させる歌詞表示処理手段と、
前記マイクロホンよりそれぞれ入力されたそれぞれの歌唱音声の信号から、それぞれ所定の歌唱区間毎に採点する採点手段と、
前記歌唱者対応付手段により対応付けられたディスプレイとマイクロホンとの関係に基づいて、複数のディスプレイのそれぞれに前記対応付けられたマイクロホン対応の採点歌唱情報を歌唱区間毎に表示させる採点表示処理手段と、
を有することを特徴とする複数歌唱対応のカラオケ装置。
【請求項２】
請求項１記載の複数歌唱対応のカラオケ装置であって、前記歌唱者対応付手段は、前記予約手段に記憶された歌唱者の歌唱する歌唱パートに基づく順番で、前記歌唱者の識別情報とディスプレイとマイクロホンとを対応付けることを特徴とする複数歌唱対応のカラオケ装置。
【発明の詳細な説明】
【技術分野】
【０００１】
本発明は、複数のディスプレイと複数のマイクロホンを備えて複数歌唱に対応させるカラオケ装置に関する。
【背景技術】
【０００２】
近年、カラオケ装置に複数の映像出力端子を設け、カラオケ楽曲の演奏中にこれらの映像出力端子に接続された複数のディスプレイそれぞれに異なる映像を表示できるカラオケ装置が普及し始めている。このようなカラオケ装置において、一の楽曲を複数のカラオケ利用者で歌唱する場合の当該歌唱に対応させたディスプレイ表示が望まれ、そのためには各歌唱者に対するディスプレイ及びマイクロホンを簡易に対応付けさせることが必要である。
【０００３】
従来、複数のディスプレイを備えるカラオケ装置として、例えば特許文献１に記載されているようなカラオケ装置が知られている。特許文献１には、複数のモニタテレビのうち、特定のモニタテレビには歌唱者用に背景映像と歌詞を表示し、他のモニタテレビには聴衆者用に予約待ちリストを表示する映像カラオケ装置の技術が記載されている。
【０００４】
一方、複数歌唱に対応する採点機能を備えるカラオケ装置として、例えば特許文献２に記載されているようなカラオケ装置が知られている。特許文献２には、複数歌唱に対して個別に歌唱採点するための複数のマイクを各歌唱者に割り当てる技術として、２人の歌唱者の顔写真と、２本のマイクの入力レベルメータを対応づけて表示し、マイクロホンからの音声レベルによりレベルメータ図案の表示形態を変化させることにより、各歌唱者が使用すべきマイクロホンがどちらなのかを認識させる技術が記載されている。
【先行技術文献】
【特許文献】
【０００５】
【特許文献１】特開平０７−２８１６８７号公報
【特許文献２】特開２００６−２５９３３１号公報
【発明の概要】
【発明が解決しようとする課題】
【０００６】
ところで、複数のディスプレイを備えるカラオケ装置においては、例えばデュエット曲やグループアーティスト曲などの複数名で歌唱する楽曲について、歌唱者毎に個別にディスプレイを割り当てることで、各歌唱者の歌唱パートのみの歌詞を、割り当てられたディスプレイに表示することや、複数名で同一曲のカラオケ対戦を行う場合では、自分と他の歌唱者との現時点での得点差を自分に割り当てられたディスプレイに表示することが利用者の便に資するものである。
【０００７】
しかしながら、上記特許文献２の技術では、複数の歌唱者はひとつのディスプレイに表示される２人分の歌詞を見ながら歌唱するものであるため、複数のディスプレイそれぞれに複数の歌唱者が歌唱する場合にマイクロホンと歌唱者が対応付けされていても、歌唱者とディスプレイとの対応付けができず、複数のディスプレイ毎に個別の歌唱者の関連情報を表示することが困難であるという問題がある。
【０００８】
また、上記特許文献１の技術においても、ディスプレイは複数であるが、歌唱者用のディスプレイは特定のディスプレイであり、それ以外のディスプレイは歌唱とは関係ない聴衆者に向けた楽曲予約情報を表示するものであって、上記同様に歌唱者とディスプレイとの対応付けや歌唱者とマイクロホンとの対応付けができず、複数のディスプレイ毎に個別の歌唱者の関連情報を表示することが困難であるという問題がある。
【０００９】
そこで、本発明は上記課題に鑑みなされたもので、各歌唱者に対するディスプレイ及びマイクロホンを簡易に対応付けさせる複数歌唱対応のカラオケ装置を提供することを目的とする。
【課題を解決するための手段】
【００１０】
上記課題を解決するために、請求項１の発明では、複数のディスプレイが個別に接続されて接続状態が認識されると共に、複数のマイクロホンが個別に接続されて接続状態が認識されるものであり、所定楽曲を複数の歌唱者が歌唱する複数歌唱対応のカラオケ装置であって、利用者からの選曲操作によって予約された楽曲の予約情報に含まれる歌唱パートに、当該楽曲を歌唱する複数の歌唱者の識別情報を対応付けて記憶する予約手段と、前記歌唱者、ディスプレイ及びマイクロホンを一度に対応付ける処理であり、前記ディスプレイのそれぞれに、前記予約手段に記憶された各歌唱者のうち、所定の歌唱者から当該歌唱者にマイクロホンへの音声入力を要求するメッセージを順次表示し、表示された要求に対応する音声信号が入力されたマイクロホンを特定し、特定したマイクロホンに当該要求を表示したディスプレイ及び上記歌唱者の識別情報を対応付ける歌唱者対応付手段と、前記予約手段により対応付けされた歌唱者の識別情報と歌唱パートとの関係、及び前記歌唱者対応付手段により対応付けられたディスプレイと歌唱者の識別情報との関係に基づいて、ディスプレイのそれぞれに歌唱パートに対応する歌詞情報を表示させる歌詞表示処理手段と、前記マイクロホンよりそれぞれ入力されたそれぞれの歌唱音声の信号から、それぞれ所定の歌唱区間毎に採点する採点手段と、前記歌唱者対応付手段により対応付けられたディスプレイとマイクロホンとの関係に基づいて、複数のディスプレイのそれぞれに前記対応付けられたマイクロホン対応の採点歌唱情報を歌唱区間毎に表示させる採点表示処理手段と、を有する構成とする。
【００１１】
請求項２の発明では、前記歌唱者対応付手段は、前記予約手段に記憶された歌唱者の歌唱する歌唱パートに基づく順番で、前記歌唱者の識別情報とディスプレイとマイクロホンとを対応付ける構成とする。
【発明の効果】
【００１２】
請求項１の発明によれば、接続状態が認識される複数のディスプレイ及び接続状態が認識される複数のマイクロホンを備え、歌唱パートに歌唱者の識別情報が対応付けられて予約手段に記憶され、歌唱者、ディスプレイ及びマイクロホンを一度に対応付ける処理として、ディスプレイのそれぞれに予約手段に記憶された所定の歌唱者から当該歌唱者にマイクロホンへの音声入力を要求するメッセージを順次表示し、表示された要求に対応する音声信号が入力されたマイクロホンを特定して当該マイクロホンに当該要求を表示したディスプレイ及び上記歌唱者の識別情報を対応付け、予約手段により対応付けされた歌唱者の識別情報と歌唱パートとの関係及び上記対応付けられたディスプレイと歌唱者の識別情報との関係に基づいて、ディスプレイのそれぞれに歌唱パートに対応する歌詞情報を表示させ、複数のディスプレイのそれぞれに対応付けられたマイクロホン対応の採点歌唱情報を歌唱区間毎に表示させる構成とすることにより、各歌唱者に対する各ディスプレイ及び各マイクロホンを簡易に対応付けさせることができ、これによって複数のディスプレイ毎に個別の歌唱者の関連情報を表示することができると共に、各ディスプレイのそれぞれにマイクロホン対応の採点歌唱情報を歌唱区間毎に表示させることが可能となって自分と他の歌唱者との得点差を自分に割り当てられたディスプレイに表示させることができ、利用者の便に資することができるものである。
【００１３】
請求項２の発明によれば、予約手段に記憶された歌唱者の歌唱する歌唱パートに基づく順番で歌唱者の識別情報とディスプレイとマクロホンとを対応付ける構成とすることにより、複数の歌唱者と複数のディスプレイ及びマイクロホンとをより簡易に対応付けすることができるものである。
【図面の簡単な説明】
【００１４】
【図１】本発明に係るカラオケ装置のブロック構成図である。
【図２】図１のサーバの構成説明図である。
【図３】図１のカラオケ装置における楽曲予約の説明図である。
【図４】図１のカラオケ装置における複数歌唱に関するフローチャートである。
【図５】ディスプレイと歌唱者の対応付け及びディスプレイとマイクロホンの対応付けの説明図である。
【図６】複数歌唱に関するディスプレイ表示の説明図である。
【図７】歌唱者、ディスプレイ、マイクロホンに対する他の対応付け処理の説明図である。
【発明を実施するための形態】
【００１５】
以下、本発明の実施形態を図により説明する。
図１に、本発明に係るカラオケ装置のブロック構成図を示す。図１において、カラオケ装置１１は、通信ネットワーク６１に接続されることでカラオケ端末となるもので、主要装置としてのカラオケ本体１２に、有線又は無線で外部接続されるものとして、複数のディスプレイ（ここでは、Ｄ１〜Ｄ３の３台とする）を備える表示部１３、ミキシングアンプ１４、複数のマイクロホン（ここでは、Ｍ１〜Ｍ３の３台とする）を備えるマイクロホン群１５、スピーカ１６、遠隔入出力装置１７が接続されることで構成される。
【００１６】
上記表示部１３の各ディスプレイＤ１〜Ｄ３は、カラオケ演奏時の背景映像や歌詞の色替え表示、採点値などを表示するもので、例えば液晶ディスプレイ（ＬＣＤ）、プラズマディスプレイ（ＰＤＰ）、その他種々のディスプレイを採用することができる。当該各ディスプレイＤ１〜Ｄ３は、例えばステージの前端に並んで設置され、カラオケ本体１２の出力端子２４Ａに対して個別に接続される。したがって、カラオケ本体１２（映像表示制御手段２４）からは、出力端子２４Ａの接続状態により、どの出力端子にどのディスプレイが接続されているかが認識される。
【００１７】
上記ミキシングアンプ１４は、カラオケ本体１２より送られてくる音楽演奏信号に、マイクロホン群１５の各マイクロホンＭ１〜Ｍ３からのそれぞれの音声信号をミキシングし、増幅してスピーカ１６より出力する。各マイクロホンＭ１〜Ｍ３は、カラオケ本体１２の入力端子２６Ａに対して個別に接続される。したがって、カラオケ本体１２（音声信号入力部２６）からは、入力端子２６Ａの接続状態により、どのマイクロホンからの入力かが認識される。
【００１８】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくともログイン・ログアウト処理手段１７Ａ、楽曲検索手段である選曲楽曲登録手段１７Ｂ及びリモコン表示部１７Ｃを適宜備える。
【００１９】
上記ログイン・ログアウト処理手段１７Ａは、利用者によるログイン操作に応じて当該利用者より利用者名や識別情報である利用者ＩＤを取得してログイン処理を行うと共に、当該取得した利用者ＩＤに基づいて後述するサーバ６２より年齢、性別等の利用者情報を取得して後述のＲＡＭ２３に当該利用者ＩＤに付帯させて利用者情報４２として記憶させる処理を行い、ログアウト操作に応じて利用終了の処理を行うプログラムである。
【００２０】
上記選曲楽曲登録手段１７Ｂは、マルチ歌唱登録手段１７Ｄを備え、リモコン表示部１７ＣのＧＵＩ機能により、楽曲ＩＤや曲名、アーチスト名、歌唱パート情報などのデータからなるテーブルに基づいて利用者が所望する楽曲を検索させ、選曲の際に、マルチ歌唱登録手段１７Ｄにより当該楽曲を複数の歌唱者で歌唱することの設定及び当該楽曲の歌唱パート毎の歌唱者の利用者ＩＤを設定させ、当該選曲された楽曲の楽曲ＩＤ及び歌唱パート毎の利用者ＩＤの情報をカラオケ本体１２に送信するプログラムである。送信された楽曲ＩＤは、カラオケ本体１２におけるＲＡＭ２３の予約待ち行列４１に登録される。これらのことは図３で説明する。ここでは、一の楽曲を複数の歌唱者で歌唱することをマルチ歌唱と称する。
【００２１】
上記リモコン表示部１７Ｃは、ログイン・ログアウト時の操作画面、楽曲選曲の操作画面を表示するもので、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００２２】
上記カラオケ本体１２は、バス２０、中央制御部２１、ＲＯＭ２２、ＲＡＭ２３、映像表示制御手段２４、出力端子２４Ａ、再生手段２５、音声信号入力部２６、入力端子２６Ａ、マルチ採点部２７Ａを備える採点手段２７、送受信部２８Ａ，２８Ｂ、記憶部２９、表示割当処理手段３１、マイクロホン対応付手段３２、歌詞表示処理手段３３、及び採点表示処理手段３４を備える。なお、上記表示割当手段３１及びマイクロホン対応付手段３２により歌唱者対応付手段（３５）を構成する。ここでは、上記複数のマイクロホンＭ１〜Ｍ３より入力した音声信号を個別に採点処理することをマルチ採点と称する。
【００２３】
上記ＲＡＭ２３には予約手段である予約待ち行列４１及び利用者情報４２の記憶領域が形成される。また、記憶部２９には、楽曲データベース（楽曲ＤＢ）５１、映像データベース（映像ＤＢ）５２及びリファレンスデータベース（リファレンスＤＢ）５３が記憶される。なお、上記各構成について、本発明の要旨と直接関連しない要素部分であっても、従前のカラオケシステムにおいても大部分が適用可能であることを示すために、構成要素の全体を説明する。
【００２４】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１及び利用者情報４２の記憶領域が形成される他に、上記種々のプログラムを展開、実行させるための作業領域としての役割をなすもので、例えば半導体メモリで構成され、仮想的にハードディスク上に構築される場合をも含む概念である。ＲＡＭ２３に記憶される上記利用者情報４２は、ログイン時に取得した利用者ＩＤに基づきサーバ６２より取得した当該利用者ＩＤに関連した年齢、性別等の情報である（図２で説明する）。
【００２５】
上記映像表示制御手段２４は、演奏時に、映像ＤＢ５２より抽出された背景映像及び楽曲ＤＢ５１より抽出された楽曲の歌詞データをディスプレイＤ１〜Ｄ３毎の映像信号として出力端子２４Ａを介して表示部１３（ディスプレイＤ１〜Ｄ３）に出力するプログラム乃至電子回路である。上記再生手段２５は、例えばシーケンスプログラムを備え、楽曲ＩＤで楽曲ＤＢ５１より抽出された音符データに従って音源（シンセサイザ）を駆動するもので、当該音源の出力は演奏信号としてミキシングアンプ１４に出力される。
【００２６】
上記音声信号入力部２６は、マイクロホン群１５の各マイクロホンＭ１〜Ｍ３より入力端子２６Ａを介して個別に入力される音声信号をＡ／Ｄ変換する電子回路であり、中央制御部２１の制御によりＡ／Ｄ変換した音声信号は採点手段２７に供され、入力端子情報と共に後述のマイクロホン対応付手段３２に供される。
【００２７】
上記採点手段２７は、マルチ採点部２７Ａを備え、対象楽曲のリファレンスデータを記憶部２９に記憶されたリファレンスＤＢ５３より読み出し、例えば歌唱区間毎に利用者による歌唱音声のピッチを検出して対象楽曲の主旋律のリファレンスデータの各音高と比較することにより採点する基本処理として、マルチ採点部２７Ａによる各マイクロホンＭ１〜Ｍ３から入力されたそれぞれの音声信号に対して、歌唱採点するためのリファレンスデータに基づいて個別にマルチ採点処理を行うプログラムである。具体的には、例えば特許第４２２２９１５号公報に記載されている手法を用いることができる。採点手段２７（マルチ採点部２７Ａ）による採点歌唱情報は、後述する採点表示処理手段３４及び映像表示制御手段２４に供される。
【００２８】
上記送受信部２８Ａは、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。上記送受信部２８Ｂは、カラオケ本体１２とサーバ６２とが通信ネットワーク６１を介してデータ授受を行うための物理的な通信用回路やプラットフォーム等のソフトウエアにより構成されるものである。
【００２９】
上記記憶部２９に記憶されている楽曲ＤＢ５１は、楽曲毎に、音符データ、歌詞データ（色変え情報を含む）、歌唱パート情報などを格納する。演奏に関して、具体的には、楽曲ＩＤ、曲名及びアーチストＩＤ（アーチスト名）が対応付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について当該楽曲ＩＤをファイル名としてそれぞれ格納したデータベースである。上記記憶部２９に記憶されている映像ＤＢ５２は、楽曲毎に応じた背景映像データについて楽曲ＩＤをファイル名としてそれぞれ格納したデータベースである。
【００３０】
上記記憶部２９に記憶されているリファレンスＤＢ５３は、楽曲ごとの主旋律のリファレンスデータであって、上記楽曲ＤＢ５１に記憶されているカラオケ楽曲と当該カラオケ楽曲の歌唱区間に合わせた歌唱者による歌唱を評価、分析するための評価基準として用いられるリファレンスデータとを対応付けて記憶するデータベースである。
【００３１】
上記表示割当手段３１及びマイクロホン対応付手段３２で構成される歌唱者対応付手段は、ディスプレイＤ１〜Ｄ３のそれぞれに、予約待ち行列４１に記憶された各歌唱者のうち、所定の歌唱者から当該歌唱者にマイクロホンへの音声入力を要求するメッセージを順次表示し、表示された要求に対応する音声信号が入力されたマイクロホンを特定し、特定したマイクロホンに当該要求を表示したディスプレイ及び上記歌唱者の利用者ＩＤを対応付ける処理を行う一例として、上記表示割当処理手段３１は、ＲＡＭ２３の予約待ち行列４１に記憶された各歌唱者の利用者ＩＤに、例えばＲＡＭ２３の予約待ち行列４１に記憶された歌唱者の歌唱する歌唱パートに基づいて、それぞれの歌唱者が視認すべきディスプレイＤ１〜Ｄ３を割り当てて対応付けたディスプレイ・テーブル３１Ａ（図５（Ａ）参照）を作成して後述のマイクロホン対応付手段３２に供するプログラムである。
【００３２】
なお、歌唱者に対するディスプレイＤ１〜Ｄ３の割り当てに関して、例えば、ログインした順番にディスプレイＤ１、ディスプレイＤ２、ディスプレイＤ３と対応付けてもよく、また、年齢の若い順でもよい。男性２名と女性１名なら中央に女性が来るようにしてもよく、また、歌唱パートが原曲歌手（グループ）の担当パートと同じ並びになるように対応付けてもよい。ここでは、予約待ち行列４１に記憶された歌唱パート順の歌唱者（歌唱者Ａ、歌唱者Ｂ、歌唱者Ｃ）として説明する。
【００３３】
上記マイクロホン対応付手段３２は、上記表示割当処理手段３１で割り当てたディスプレイ・テーブル３１Ａに基づいて、ディスプレイＤ１〜Ｄ３のそれぞれに、当該ディスプレイのそれぞれに対応付けられた利用者ＩＤの歌唱者を表示し、続いて当該歌唱者にマイクロホンへの音声入力を要求するメッセージを順次表示し、表示された要求に対応する音声信号が入力されたマイクロホンを特定し、特定したマイクロホンに当該要求を表示したディスプレイを対応付けてマイクロホン・テーブル３２Ａ（図５（Ｂ）参照）を作成して後述の歌唱表示処理手段３３及び採点表示処理手段３４に供するプログラムである。ここで、マイクロホン対応付手段３２は、音声認識判別手段を備えるものとし、マイクロホンからの音声入力の内容を判別する（後述する）。
【００３４】
上記歌詞表示処理手段３３は、ＲＡＭ２３の予約待ち行列４１により対応付けされた歌唱者の利用者ＩＤと歌唱パートとの関係、及び表示割当処理手段３１により対応付けられたディスプレイと歌唱者の利用者ＩＤとの関係のディスプレイ・テーブル３１Ａに基づいて、ディスプレイＤ１〜Ｄ３のそれぞれに歌唱パートに対応する歌詞情報を表示させるプログラムである。
【００３５】
上記採点表示処理手段３４は、マイクロホン対応付手段３２により対応付けられたディスプレイＤ１〜Ｄ３とマイクロホンＭ１〜Ｍ３との関係のマイクロホン・テーブル３２Ａに基づいて、複数のディスプレイのそれぞれに採点歌唱情報（後述する）を歌唱区間毎や歌唱終了後に表示させるプログラムである。
【００３６】
また、図２に、図１のサーバの構成説明図を示す。図２（Ａ）において、サーバ６２は、インターネットなどの通信ネットワーク６１を介して端末としての所定数のカラオケ端末としてのカラオケ装置１１（１１Ａ〜１１Ｎ）を管理し、当該各カラオケ装置１１に対する楽曲データの配信や各種データを送受すると共に、少なくとも何れかのカラオケ装置１１からの要求に応じて利用者情報を送信する装置である。
【００３７】
サーバ６２は、図２（Ｂ）に示すように、少なくとも制御部７１、ネットワーク送受信部７２、利用者情報抽出手段７３及び記憶手段としての利用者情報データベース７４（利用者情報ＤＢ７４）を備える。上記制御部７１は、当該サーバ６２を統括的に制御する物理的なＣＰＵであり、図示しないＲＯＭに格納されているプログラムを実行処理して統括的な処理を行う。
【００３８】
上記ネットワーク送受信部７２は、各カラオケ装置１１（１１Ａ〜１１Ｎ）との通信（データ授受）を行うために、通信ネットワーク６１の通信方式と整合性をとるための例えば物理的な通信用回路やプラットフォーム等のソフトウエアにより構成される。
【００３９】
上記利用者情報抽出手段７３は、所定のカラオケ装置１１より利用者ＩＤに基づいて対応の利用者情報の要求があった時に、利用者情報ＤＢ７４より利用者情報を抽出して対応のカラオケ装置１１に送信するプログラムである。
【００４０】
上記利用者情報ＤＢ７４は、利用者の利用者ＩＤと属性情報とが関連付けられた利用者情報を格納する記憶装置である。その属性情報としては、図２（Ｃ）に示すように、氏名や図示しない住所等の書誌的な情報の他に、当該利用者のセカンドネーム、年齢、性別などがある。
【００４１】
上記利用者情報は、カラオケ装置１１において、利用者が遠隔入出力装置１７のログイン・ログアウト処理手段１７Ａでログイン操作したときに、当該ログイン・ログアウト処理手段１７Ａが取得した利用者ＩＤにより送受信部２８Ｂ、通信ネットワーク６１を介してサーバ６２に要求することで取得され、ＲＡＭ２３に利用者情報４２として記憶されるものである。
【００４２】
ここで、図３に、図１のカラオケ装置における楽曲予約の説明図を示す。この実施形態では、当該カラオケ装置１１に５人の利用者がログインしたものとして説明する。まず、利用者が遠隔入出力装置１７において楽曲選曲を選択すると選曲楽曲登録手段１７Ａが実行され、図３（Ａ）に示すように、従前と同様の楽曲選曲画面が表示されて利用者が一の楽曲を候補とした画面がリモコン表示部１７Ｃ上に表示される。
【００４３】
当該楽曲を選曲する際に、複数歌唱の選択表示１７Ｅがあり、複数歌唱を利用者の希望するものである場合には当該表示箇所をタッチして選択し、「次へ」操作ボタン１７Ｆをタッチする。そこで、マルチ歌唱登録手段１７Ｄが上記テーブルを参照して当該楽曲の歌唱パート情報を読み出し、図３（Ｂ）に示すように、ログインした利用者（利用者ＩＤ）と共に各歌唱パート（パートＸ、パートＹ、パートＺ）を歌唱する歌唱者の利用者ＩＤの入力欄１７Ｇを表示する。例えば、歌唱を希望する利用者の利用者ＩＤをタッチしてドラックアンドドロップすることで対応歌唱パートの入力欄１７Ｇ上にそのコピー情報として入力される。ここでは、３名の歌唱者Ａ、歌唱者Ｂ、歌唱者Ｃがそれぞれ歌唱パートのパートＸ、パートＹ、パートＺに入力したものとする。なお、例えば３つの歌唱パートのうち、２つの歌唱パートを１人で歌唱するものとしてもよい。
【００４４】
そして、「転送」の操作ボタン１７Ｈがタッチされることで、選曲された楽曲の楽曲ＩＤに複数歌唱フラグ及び歌唱パート情報が付帯された予約情報がカラオケ本体１２に送信される。カラオケ本体１２では、図３（Ｃ）に示すように、複数歌唱フラグ及び歌唱パート情報が付帯された楽曲ＩＤがＲＡＭ２３の予約待ち行列４１に予約登録される。
【００４５】
そこで、図４に図１のカラオケ装置における複数歌唱に関するフローチャート示し、図５にディスプレイと歌唱者の対応付け及びディスプレイとマイクロホンの対応付けの説明図を示し、図６に複数歌唱に関するディスプレイ表示の説明図を示す。図４において、図３（Ｂ）に示す予約待ち行列４１に予約登録された順に演奏が開始され、複数歌唱フラグが「ＯＮ」の楽曲Ａの演奏開始に際して、表示割当処理手段３１が、歌唱者と視認すべきディスプレイとを割り当てたディスプレイ・テーブル３１Ａを作成してマイクロホン対応付手段３２に送出する（ステップ１（Ｓ１））。
【００４６】
例えば、図５（Ａ）に示すように、ＲＡＭ２３の予約待ち行列４１に記憶された歌唱パート（図３（Ｃ））に基づいて、順番に、歌唱パートＸを歌唱する歌唱者ＡをディスプレイＤ１に割り当て、歌唱パートＹを歌唱する歌唱者ＢをディスプレイＤ２に割り当て、歌唱パートＺを歌唱する歌唱者ＣをディスプレイＤ３に割り当てる。
【００４７】
マクロホン対応付手段３２では、ＲＡＭ２３の予約待ち行列４１に記憶されている歌唱パート情報（歌唱者（利用者ＩＤ））、利用者情報４２及びディスプレイ・テーブル３１Ａに基づいて、映像表示制御手段２４より各ディスプレイに割り当てた歌唱者名を表示させる（Ｓ２）。例えば、ディスプレイＤ１〜Ｄ３のそれぞれに「Ａさん専用のディスプレイです。」、「Ｂさん専用のディスプレイです。」、「Ｃさん専用のディスプレイです。」などを表示することで、歌唱者は適当に選んだマイクロホンを手にして、自分の名前が表示されたディスプレイの前に立つ。
【００４８】
続いて、それぞれのディスプレイＤ１〜Ｄ３に順次音声入力を要求するメッセージを表示する（Ｓ２）。まず、ディスプレイＤ１に「Ａさんですか？」と表示させ、歌唱者Ａが「はい」との応答を判別し、マイクロホンＭ１が接続された入力端子２６Ａ（音声信号入力部２６）に音声入力があったことを特定してディスプレイＤ１とマイクロホンＭ１とを対応付ける。次に、ディスプレイＤ２に「Ｂさんですか？」と表示させ、歌唱者Ｂが「はい」との応答を判別し、マイクロホンＭが接続された入力端子２６Ａ（音声信号入力部２６）に音声入力があったことを特定してディスプレイＤ２とマイクロホンＭ２とを対応付けを行い、残ったディスプレイＤ３とマイクロホンＭ３とを対応付けする（Ｓ３）。
【００４９】
そして、総てのディスプレイＤ１〜Ｄ３とマイクロホンＭ１〜Ｍ３との対応付けが終了すると（Ｓ４）、図５（Ｂ）に示すようなマイクロホン・テーブル３２Ａを作成して採点表示処理手段３４に送出する（Ｓ５）。
【００５０】
そこで、演奏が開始され（Ｓ６）、歌詞表示処理手段３３が、演奏楽曲の歌詞情報を楽曲ＤＢ５１より読み出し、予約待ち行列４１の歌唱パート情報及びディスプレイ・テーブル３１Ａに基づいて、映像表示制御手段２４より出力端子２４Ａを介して歌唱者の歌唱する歌唱パートの歌詞８１Ｘ、８１Ｙ、８１Ｚを、図６（Ａ）に示すように、当該歌唱者に対応するディスプレイに表示させる（Ｓ７）。なお、従前のように各ディスプレイ上には当該楽曲に対応する背景映像が記憶部２９の映像ＤＢ５２より読み出されて表示される。
【００５１】
一方、採点手段２７のマルチ採点部２７Ａが、入力端子２６Ａを介して音声信号入力部２６より入力したマイクロホンＭ１〜Ｍ３毎の音声信号に基づいて、採点処理を行い、採点表示処理手段３４が、マイクロホン・テーブル３２Ａに基づいて歌唱区間毎の採点歌唱情報を映像表示制御手段２４に送出して歌唱されたパートに対応するディスプレイ上に表示させる（Ｓ７）。例えば、図６（Ｂ）に示すように、他の歌唱者との順位や、得点差などの採点経過の採点歌唱情報を、歌唱区間毎（Ａメロ、Ｂメロ、サビなど）に表示させる。
【００５２】
そして、演奏が終了すると（Ｓ８）、採点手段２７が、各歌唱者の採点結果のそれぞれを、映像表示制御手段２４に送出して総てのディスプレイＤ１〜Ｄ３に各歌唱者の採点結果を、図６（Ｃ）に示すように表示させるものである（Ｓ９）。
【００５３】
次に、図７に、歌唱者、ディスプレイ、マイクロホンに対する他の対応付け処理の説明図を示す。上記実施形態では、歌唱者とディスプレイとを対応付けてディスプレイとマイクロホンとを対応付ける処理として示したが、この実施形態では、歌唱者、ディスプレイ及びマイクロホンを一度に対応付ける処理としたものである。
【００５４】
すなわち、図７（Ａ）に示すように、上記図１の表示割当手段３１及びマイクロホン対応付手段３２に代えて歌唱者対応付手段３５としたもので、当該歌唱者対応付手段３５は、ディスプレイＤ１〜Ｄ３のそれぞれに、予約待ち行列４１に記憶された各歌唱者のうち、所定の歌唱者から当該歌唱者にマイクロホンへの音声入力を要求するメッセージを順次表示し、表示された要求に対応する音声信号が入力されたマイクロホンを特定し、特定したマイクロホンに当該要求を表示したディスプレイ及び上記歌唱者の利用者ＩＤを対応付けるプログラムである。
【００５５】
具体的には、例えば、まず、ディスプレイＤ１（最初にディスプレイＤ１でなくともよい）に「次曲を歌唱するＡさん、このディスプレイを自分用にしますか？する場合のみ、歌唱するマイクから「はい」と音声入力してください」と表示する。応答があれば、当該ディスプレイＤ１に当該歌唱者Ａの利用者ＩＤ、使用されたマイクロホン（例えばマイクロホンＭ１）を対応付ける。一方、所定時間待ってマイク入力がなければ、ディスプレイＤ２に上記同じ内容の表示を行い、歌唱者Ａよりの応答があるまで繰り返す。
【００５６】
ディスプレイＤ１にマイクロホンＭ１及び歌唱者Ａが対応付けられたとすると、続いて、ディスプレイＤ２に「次曲を歌唱するＢさん、このディスプレイを自分用にしますか？する場合のみ、歌唱するマイクから「はい」と音声入力してください」と表示する。応答があれば、当該ディスプレイＤ２に当該歌唱者Ｂの利用者ＩＤ、使用されたマイクロホン（例えばマイクロホンＭ２）を対応付ける。一方、所定時間待ってマイク入力がない時の処理は上記同様である。
【００５７】
そして、残ったディスプレイＤ３にマイクロホンＭ３及び歌唱者Ｃが対応付け、総ての歌唱者の対応付けが終了したときに、図７（Ｂ）に示すように、総ての歌唱者Ａ、Ｂ、Ｃに対する対応付テーブル３５Ａを作成して、歌詞表示処理手段３３及び採点表示処理手段３４に送出するものである。
【００５８】
なお、上述の例では所定の歌唱者に対してマイクロホンからの音声入力要求メッセージを応答があるまで各ディスプレイに順次表示したが、これに限定されず、応答があるまで所定のディスプレイに各利用者に対する音声入力要求メッセージを順次表示してもよい。
【００５９】
このように、各歌唱者に対する各ディスプレイ及び各マイクロホンを簡易に対応付けさせることができ、これによって複数のディスプレイ毎に個別の歌唱者の関連情報を表示することができると共に、各ディスプレイのそれぞれにマイクロホン対応の採点歌唱情報を歌唱区間毎に表示させることが可能となって自分と他の歌唱者との得点差を自分に割り当てられたディスプレイに表示させることができ、利用者の便に資することができるものである。
【産業上の利用可能性】
【００６０】
本発明の複数歌唱対応のカラオケ装置は、カラオケの基本的機能を備えた装置の製造、使用、販売等の産業に利用可能である。
【符号の説明】
【００６１】
１１            カラオケ装置（カラオケ端末）
１２            カラオケ本体
１３            表示部（ディスプレイ）
１５            マイクロホン群
１７            遠隔入出力手段
１７Ｄ          マルチ歌唱登録手段
２４            映像表示制御手段
２６            音声入力部
２７            採点手段
２７Ａ          マルチ採点部
３１            表示割当処理手段
３２            マイクロホン対応付手段
３３            歌詞表示処理手段
３４            採点表示処理手段
３５            歌唱者対応付手段
４１            予約待ち行列
４２            利用者情報
６２            サーバ
７４            利用者ＤＢ
【図１】
0006532266.tif 000002
【図２】
0006532266.tif 000003
【図３】
0006532266.tif 000004
【図４】
0006532266.tif 000005
【図５】
0006532266.tif 000006
【図６】
0006532266.tif 000007
【図７】
0006532266.tif 000008